(57)【要約】      （修正有）【課題】カーテンの巻き上げ、位置固定、開放が順調に行えるカーテンの上下引動装置の提供。【解決手段】一種のカーテン巻き上げ、引き下げ装置であり、案内部材、昇降プーリー、回転ブロック、固定ケース体および連結部材より構成する。固定環状体を設けた案内部材の案内棒と回転ブロックを貫いて、固定環状体を回転ブロックの回転体に掛ける。案内棒に貫く推進ブロックは、貫通棒により、固定ケース体で係止めて、案内部材他端の昇降プーリーの昇降コードを引っ張ることにより開放され、案内部材他端の昇降プーリーをもう一度引っ張ると、回転ブロックの一端に対応する凹んだ案内溝は、推進ブロックの円錐体と吻合接合する。円錐体は推動ブロックと回転接続するはめ込み固定する傾斜面を押して外部に回転移動し、回転ブロックの推動ブロックを貫通棒に掛けて離脱し、固定ケース体を空転させ、カーテンの巻き操作を有効に制御できる。【選択図】図１
0003119717.tif 000002
【実用新案登録請求の範囲】
【請求項１】
カーテンの上下上下引動装置であり、該上下上下引動装置は案内部材、昇降プーリー、回転ブロック、固定ケース体及び套接部材を包含し、該案内部材の一端に案内棒を設け、案内棒の内部に両端がメスねじ孔の貫通孔を設け、天面に多角棒体を設け、末端部に異なる円形突起体を設け、その内部に多角メス孔と円孔を設け、
昇降プーリーは案内部材のフランジ外部に套設し、この昇降プーリーの中央部に貫通孔を設け、貫通孔の内周面に台形掛け体を延ばして設け、貫通孔に凹み面を設け、その外周面に円形溝を設け、回転ブロックは案内部材の案内棒外部にはめ込み、昇降プーリーと隣り合い、
固定ケース体は案内部材と回転ブロック外部に貫いて、中央部に収容室を設け、その一端に止着棒体が套接する挿入孔を設け、他端に内部に多層凹み面を設けるフランジ面を設けて、その周りに貫通孔を凹んで設け、
套接部材は昇降プーリー外部に套接し、その内部に収容空間を設け、収容空間の底面に断面が円弧状の溝を設け、他端に貫通孔を設けて、蓋体をはめ込み、蓋体の一端は案内部材一端の異なる円形突起体の多角メス孔、円孔と套接する棒体に套接し、円孔に套接する棒体の中央部に貫通孔を設け、貫通孔一端の内部に多角メス孔を設けることを特徴とする、カーテンの上下引動装置。
【請求項２】
回転ブロックは、回転体、貫く固定体および推動ブロックを包含し、回転体の片側に貫通孔の突起棒を設け、突起棒の周りに一端が平面で、他端が傾斜面の対応案内溝を設け、突起棒を延ばした一端の内部は収容空間の突起連結体、および円弧状切り込みを設けて、その背面の両側に掛け体を設け、空間を有する二つの突起塊のフランジ面を設け、掛け体と二つの突起塊の間に円弧状はめ込み体を設け、はめ込み体は回転体の突起棒と組み合わせる貫通孔の套接棒を設け、套接棒の周りと突起棒周りの案内溝は平面を形成し、他端の当て面は傾斜面を設けた案内溝であり、套接棒はその一端の内部に収容空間を設ける突起連結体を設け、突起連結体の裏側は案内溝の平面場所に合わせて、空間を有する二つの突起塊を設け、推動ブロックの内部に弾性部材を貫く突起貫通孔の棒体を設け、棒体中央部周りに間隔を置いた対応する止着体を設け、一端の外周面は、回転体、貫く固定体を設ける案内溝を設けて、その一端は平面形状で、他端は当て突起面を設ける傾斜面の円錐体であることを特徴とする請求項１記載のカーテンの上下引動装置。
【請求項３】
止着体の一端はメス孔を設け、その周りに貫通孔に合わせて設けるオスねじ部を設け、他端は多角メス孔、固着孔の棒体であることを特徴とする、請求項１記載のカーテンの上下引動装置。
【考案の詳細な説明】
【技術分野】
【０００１】
本考案は一種のカーテンの上下引動装置に関わる。
【背景技術】
【０００２】
市販のカーテン装置は、日差しを遮るや装飾に使われている。しかし、カーテン上下引動装置は巻き上げ、引き下げのとき、昇降プーリーにより、カーテンの巻き上げまたは引き下げを操作する。そのほとんどは、ブラインダー式または左、右方向に開閉するカーテンに適用するため、端片式のカーテンは使えない。さらに、この種のカーテン引動装置は使用するときに、以下の問題点がある。
１.公知技術のカーテンの昇降プーリーは、いったん斜め方向に引いてから戻して、カーテンを開けた後、昇降プーリーを右方向に引いて、昇降プーリーを止めて、カーテンを頂点に巻き上げる。このような引き操作はカーテンを任意高度に開放または巻き上げができない。
２.公知のカーテン上下引動装置は、任意高度や必要高度に巻き上げて固定することができないため、カーテン上下引動装置全体の利用性が影響されている。
【考案の開示】
【考案が解決しようとする課題】
【０００３】
本考案の考案者は前記の問題点に対して、研究、改良を重ねた結果、回転ブロックと案内部材の案内棒を貫く方式で連結し、利用者は昇降プーリーにより、回転ブロックを連動させ、吻合接合の推進ブロックを引き離しまたは固定し、カーテンの巻き上げ、位置固定、開放が順調に行える一種のカーテン上下引動装置を考案した。
【０００４】
前記の目的を実現するため、カーテン引導装置は、案内部材、昇降プーリー、回転ブロック、固定ケース体および連結部材より構成される。固定環状体を設けた案内部材の案内棒と回転ブロックを貫いて、固定環状体を回転ブロックの回転体に掛ける。案内棒に貫く推進ブロックは、貫通棒により、固定ケース体で係止めて、案内部材他端の昇降プーリーの昇降コードを引っ張ることにより開放され、案内部材他端の昇降プーリーをもう一度引っ張ると、回転ブロックの一端に対応する凹んだ案内溝は、推進ブロックの円錐体と吻合接合する。円錐体は推動ブロックと回転接続するはめ込み固定する傾斜面を押して外部に回転移動し、回転ブロックの推動ブロックを貫通棒に掛けて離脱し、固定ケース体を空転させ、カーテンの巻き操作を有効に制御できる。
【課題を解決するための手段】
【０００５】
請求項１の考案は、カーテンの上下引動装置であり、該上下引動装置は案内部材、昇降プーリー、回転ブロック、固定ケース体及び套接部材を包含し、該案内部材の一端に案内棒を設け、案内棒の内部に両端がメスねじ孔の貫通孔を設け、天面に多角棒体を設け、末端部に異なる円形突起体を設け、その内部に多角メス孔と円孔を設け、
昇降プーリーは案内部材のフランジ外部に套設し、この昇降プーリーの中央部に貫通孔を設け、貫通孔の内周面に台形掛け体を延ばして設け、貫通孔に凹み面を設け、その外周面に円形溝を設け、回転ブロックは案内部材の案内棒外部にはめ込み、昇降プーリーと隣り合い、
固定ケース体は案内部材と回転ブロック外部に貫いて、中央部に収容室を設け、その一端に止着棒体が套接する挿入孔を設け、他端に内部に多層凹み面を設けるフランジ面を設けて、その周りに貫通孔を凹んで設け、
套接部材は昇降プーリー外部に套接し、その内部に収容空間を設け、収容空間の底面に断面が円弧状の溝を設け、他端に貫通孔を設けて、蓋体をはめ込み、蓋体の一端は案内部材一端の異なる円形突起体の多角メス孔、円孔と套接する棒体に套接し、円孔に套接する棒体の中央部に貫通孔を設け、貫通孔一端の内部に多角メス孔を設けることを特徴とする、カーテンの上下引動装置としている。
請求項２の考案は、回転ブロックは、回転体、貫く固定体および推動ブロックを包含し、回転体の片側に貫通孔の突起棒を設け、突起棒の周りに一端が平面で、他端が傾斜面の対応案内溝を設け、突起棒を延ばした一端の内部は収容空間の突起連結体、および円弧状切り込みを設けて、その背面の両側に掛け体を設け、空間を有する二つの突起塊のフランジ面を設け、掛け体と二つの突起塊の間に円弧状はめ込み体を設け、はめ込み体は回転体の突起棒と組み合わせる貫通孔の套接棒を設け、套接棒の周りと突起棒周りの案内溝は平面を形成し、他端の当て面は傾斜面を設けた案内溝であり、套接棒はその一端の内部に収容空間を設ける突起連結体を設け、突起連結体の裏側は案内溝の平面場所に合わせて、空間を有する二つの突起塊を設け、推動ブロックの内部に弾性部材を貫く突起貫通孔の棒体を設け、棒体中央部周りに間隔を置いた対応する止着体を設け、一端の外周面は、回転体、貫く固定体を設ける案内溝を設けて、その一端は平面形状で、他端は当て突起面を設ける傾斜面の円錐体であることを特徴とする、請求項１記載のカーテンの上下引動装置としている。
請求項３の考案は、止着体の一端はメス孔を設け、その周りに貫通孔に合わせて設けるオスねじ部を設け、他端は多角メス孔、固着孔の棒体であることを特徴とする、請求項１記載のカーテンの上下引動装置としている。
【考案の効果】
【０００６】
本考案は固定環状体を回転ブロックの回転体に入れるほか、案内棒に貫く推動ブロックを貫通棒と固定ケース体で係止めて、案内部材他端に設ける昇降プーリーの昇降コードの一端を引っ張ることにより、カーテンの巻き上げ効果を実現する。
【考案を実施するための最良の形態】
【０００７】
本考案は一種のカーテンの巻き上げときの位置固定、順調に上、下方向の巻き操作のカーテンの上下引動装置に関する。
【０００８】
図１、２および図４に示すものは、本考案のカーテンの上下引動装置Ａ一端の固着体４６とレールの軸棒Ｂ外部に套接する弾性部材Ｂ１一端Ｂ１０鉤部材（図３）であり、案内部材１０、昇降プーリー２０、回転ブロック３０、固定ケース体４０および套接部材５０より構成する。そのうち、案内部材１０の一端に案内棒１１を設け、案内棒１１の天面に多角棒体１１０を設けて、末端部に直径の異なる円形突起体１２、１３を延ばして設ける。案内棒１１内部に両端がメスねじ孔１１１、１１２を構成する貫通孔１１３を設け、外側の円形突起体１３の外周面に突起部１３１の固定環状体１５０を設けて、片側にフランジ１４を設ける。さらに、異なる円形突起体１２、１３内部に多角メス孔１２０と円孔１３２を設ける。
【０００９】
昇降プーリー２０は案内部材１０に套接するフランジ１４外部に取り付ける。昇降プーリー２０の中央部に貫通孔２１を設け、案内部材１０末端部の円形突起体１２、１３を套設した上、貫通孔２１内周面より突き出して延ばす。台形掛け体２２および貫通孔２１の片側に凹み面２３を設けて、案内部材１０のフランジ１４を設ける。昇降プーリー２０外周面に円形溝２００を設け、昇降コード２４はこれに対応した玉体２４０を入れる。
【００１０】
回転ブロック３０（図５）は案内部材１０に套設する案内棒１１のほか、昇降プーリー２０と隣り合う。主に、回転体３１、貫く固定体３２および推動ブロック３３より構成する。回転体３１の片側に貫通孔３１０の突起棒３１１を設け、突起棒３１１の周りに対応の案内溝３１２を設ける。案内溝３１２の一端に平面３１２０を形成し、他端は傾斜面３１２１を形成する。さらに、突起棒３１１が外部に露出する端の内部に収容空間３１３０の突起連結体３１３と円弧状切り込み３１４０、およびその背面の両端に掛け体３１５を設ける。空間３１６０に設ける二つの突起塊３１６のフランジ面３１４は掛け体３１５と二つの突起塊３１６との間に円弧状はめ込み体３１７を設ける。貫通孔３１０と収容空間３１３０に、案内部材１０一端の円形突起体１２、１３を套設する。固定環状体１３０の突起部１３１に二つの突起塊３１６の空間３１６０に入れて、二つの突起塊３１６を当て状態にし、円弧状はめ込み体３１７を昇降プーリー２０中央部貫通孔２１に套接する。貫く固定体３２に回転体３１の突起棒３１１と組み合わせる貫通孔３２１の套接棒３２０を設け、套接棒３２０の周りに突起棒３１１まわりの案内溝３１２に対応する案内溝３２２を設けて、案内溝３２２の一端は平面３２２０であり、他端は当て面３２２１を有する傾斜面５２２２である。さらに、套接棒３２０が外部に露出する端の内部に収容空間３２３０の突起連結体３２３を設け、突起連結体３２３の背面に案内溝３２２平面３２２０場所に、空間３２４０の二つの突起塊３２４を設ける。空間３２４０は昇降プーリー２０貫通孔２１内周面の台形掛け体２２を収容し、貫通孔３２１と収容空間３２３０に回転体３１の片側に突起棒３１１と突起連結体３１３を套接する。さらに突起連結体３２３背面の二つの突起塊３２４は回転体３１の円弧状切り込み３１４０に回転移動の空間とする。推動ブロック３３内部に突起状貫通孔３３０の棒体であり、一端の外周面に回転体３１、貫く固定体３２の案内溝３１２、３２２に対応する円錐体３３１を設ける。円錐体３３１の一端は平面３３１０で、他端は当て突起面３３１１の傾斜面３３１２を設け、棒体中央部周りに止着体３３２を設ける。止着体３３２の間に間隔３３３を設け、突起貫通孔３３０は案内部材１０の案内棒１１外部を通して、弾性部材３４を突起貫通孔３３０内に装入する。弾性部材３４の弾力により、推動ブロック３３は移動された後、反対方向推進により、元の位置にもどる力量を形成する。
【００１１】
固定ケース体４０（図４）は案内部材１０と回転ブロック３０に貫く、その中央部に回転ブロック３０より套設した収容室４１を設ける。その一端に挿入孔４２を設け、他端に内部に多層凹み面４３０を形成する突起蓋端面４３を設け、凹み面４３０において、貫く固定体３２の突起連結体３２３と吻合接合し、その周りに貫通棒４５を挿入するため、貫通孔４４を凹んで設ける。貫通棒４５は推動ブロック３３の止着体３３２の距離３３３を止着場所とする。さらに、固定ケース体４０の挿入孔４２と固着体４６の棒体４６５と套接する。固着体４６の一端はメス孔４６１を設け、その周りに対応する貫通孔４６２のオスねじ部４６０を設け、他端は、多角メス孔４６３を設ける。固着孔４６４の棒体４６５は多角メス孔４６３において、案内部材１０一端の案内棒１１天面に設ける多角棒体１１０によって、嵌め込む。
【００１２】
套接部材５０（図４）は昇降プーリー２０外部に套接し、その内部に収容空間５１を設け、収容空間５１の底部に断面は円弧状溝５２を形成し、昇降コード２４両端２４１、２４２は、この円弧状溝５２を走行経路とする。套接部材５０の一端に貫通孔５３を設け、蓋体５４を套設する。蓋体５４の一端に案内部材１０一端に設ける異なった径の円形突起体１２、１３の多角メス孔１２０、円孔１３２と套接する棒体５４０を設け、棒体５４０の中央部に貫通孔５４１を設けて、固着素子５４２を挿入する。蓋体５４一端の内部に多角メス孔５４３を設けて、両端の多角棒体５４４０のほぞ５４４を嵌め込む。
【００１３】
図４と図５に示すものは、本考案を組み立てるとき、案内部材１０の一端の案内棒１１は昇降プーリー２０の貫通孔２１０外部に貫く、案内部材１０のフランジ１４は貫通孔２１片側に延ばして設ける凹み面２３に設けた上、回転ブロック３０の貫く固定体３２貫通孔３２１と収容空間３２３０および回転体３１片側の突起棒３１１、突起連結体３１３に套接し、案内棒１１に貫く。突起連結体３２３背面二つの突起塊３２４は回転体３１の円弧状切り込み３１４０に回転移動し、突起連結体３２３背面二つの突起塊３２４の空間３２４０において、昇降プーリー２０の貫通孔２１内周面の台形掛け体２２は、固定環状体１３０の突起端１３１に二つの突起塊３１６の空間３１６０に収容し、二つの突起塊３１６を当て状態にし、貫く固定体３２と昇降プーリー２０を連結させ、同期に回転する。さらに、推動ブロック３３を案内棒１１に貫く、その外周面の円錐体３３１を回転体３１、貫く固定体３２の案内溝３１２、３２２と合わせて組み合わせる。案内棒１１の天面に弾性部材３４を貫いて、その一端に固着体４６の固定ケース体４０の収容室４１は案内棒１１上の回転ブロック３０を収容する。ねじ固定部材４６６は固着体４６の固着孔４６４を貫いて、案内部材１０一端の案内棒１１のメスねじ孔１１１に固定した上、昇降コード２４に対応する玉体２４０を昇降プーリー２０外周面の円形溝２００に取り付ける。さらに、昇降プーリー２０の片側に套接部材５０の収容空間５１で覆う。蓋体５４一端お棒体５４０と案内部材１０一端の異なった円形突起体１２、１３の多角メス孔１２０、円孔１３２に套接する。固着素子５４２を棒体５４０の中央部貫通孔５４１に通して、案内部材１０一端の案内棒１１他端のメスねじ孔１１２に固定する。最後にほぞ５４４の多角棒体５４４０と蓋体５４一端の多角メス孔５４３と組み合わせる。巻き上げ、引き下げ装置Ａの固着体４６一端のメス孔４６１とレールの軸棒Ｂと噛み合わせておく、軸棒Ｂ外部に套設する弾性部材Ｂ１の一端Ｂ１０を固着体４６周りに対応した貫通孔４６２のフック（図３）を通す。
【００１４】
図６、７に示すものは、本考案を操作使用するとき、上下引動装置Ａは、すべてのカーテン装置（図示していない）と組み合わせられる。カーテンを巻き上げるとき （図示していない）（逆時計方向に回転する） 、貫通棒４５を推動ブロック３３止着体３３２の間隔３３３に貫いて、推動ブロック３３を止着しておく、推動ブロック３３一端の弾性部材３４は圧迫されない。昇降コードと一端２４１の玉体２４０を引っ張り、昇降プーリー２０円形溝２００を同期に回転させ、回転するとき、昇降プーリー２０の台形掛け体２２は回転ブロック３０の貫く固定体３２を駆動し、使貫く固定体３２は突起連結体５２３背面二つの突起塊３２４は、回転体３１円弧状切り込み３１４０において、回転移動し、回転体３１フランジ面３１４裏側の突起塊３１６に止着し、推動ブロック３３一端の円錐体３３１と貫く固定体３２の案内溝３２２をはめ込み、固定ケース体４０一端の固着体４６フックに連結するレースの軸棒Ｂを非空転状態にし、カーテンの巻き上げを順調に行える。
【００１５】
さらに、図８に示すものは、本考案におけるカーテン（図示していない）の巻き上げ （時計方向に回転する）である。昇降プーリー２０に設ける円形溝２００の昇降コード２４の他端２４２を引っ張ると、昇降プーリー２０の台形掛け体２２は反対方向より回転ブロック３０の貫く固定体３２を駆動し回転させ、貫く固定体３２は突起連結体３２３二つの突起塊３２４は回転体３１の円弧状切り込み３１４０で反対方向に回転移動し、回転体３１フランジ面３１４裏側の掛け体３１５に止着する。一方、貫く固定体３２は反対方向に回転し案内溝３２２の傾斜面３２２２により、推動ブロック３３の円錐体３３１の当て突起面３３１１により押され回転移動し（図９）、当て突起面３３１１と案内溝３２２の当て面３２２１は当て状態を形成する。回転ブロック３０の推動ブロック３３は貫通棒４５により止着し、止着体３３２を離れる。このとき、推動ブロック３３一端に収容する弾性部材３４が圧迫され、固定ケース体４０を空転状態にし、固定ケース体４０一端の止着体４６の鉤連結するレースの軸棒Ｂの弾性部材Ｂ２は、カーテンの巻き上げによる圧縮状態から元の状態に戻し、カーテンの巻き上げ固定を有効に制御でき、カーテンの快速巻き取りによりしわの形成や破損を避ける。カーテンを巻き上げた状態からもとの巻き上げ状態に戻すとき、昇降コード２４の一端２４１を引っ張り、推動ブロック３３一端に収容し圧迫された弾性部材３４はその弾力により、推動ブロック３３は移動され、反対方向力量の働きで、推動ブロック３３は貫通棒４５を止着体３３２にの間隔３３３に装入し、推動ブロック３３を再び制限および止着し、元の位置に戻す（図６、７）。
【図面の簡単な説明】
【００１６】
【図１】本考案の立体分解図である。
【図２】本考案の立体組み合わせ外観図である。
【図３】本考案の配置状態を示す図である。
【図４】本考案の組合せ断面図である。
【図５】本考案の昇降揺動装置の右側面図である。
【図６】本考案の使用態を示す図である（引き下げ）。
【図７】本考案推動ブロックが固定されたときの配置状態を示す図である。
【図８】本考案もう一つの使用状態を示す図である（巻き上げ）。
【図９】本考案推動ブロックが回転移動されたときの配置を示す図である。
【符号の説明】
【００１７】
Ａ  上下引動装置                Ｂ  軸
Ｂ１  弾性部材                  Ｂ１０  一端
１０  案内部材                  １１  案内棒
１１０  多角棒体                １１１、１１２  メスねじ孔
１１３  貫通孔                  １２、１３  円形突起体
１２０  多角メスねじ孔          １３１  突起端
１３２  円孔                    １４  フランジ
１５０  固定環状体              ２０  昇降プーリー
２００  溝                      ２１  貫通孔
２２  台形掛け体                ２３  凹み面
２４  昇降コード                ２４０  玉体
２４１  一端                    ２４２  他端
２５  凹み面                    ３０  回転ブロック
３１  回転体                    ３１０  貫通孔
３１１  突起棒                  ３１２、３２２  案内溝
３１２０  平面                  ３１３  突起連結体
３１３０  収容空間              ３１４  フランジ面
３１４０  円弧状切り込み        ３１５  掛け体
３１６  突起塊                  ３１６０  空間
３１７  円弧状はめ込み体        ３２  貫く固定体
３２０  套接棒                  ３２２  案内溝
３２２０  平面                  ３２２１  当て面
３２２２  傾斜面                ３２３  突起連結体
３２４  突起塊                  ３２４０  空間
３３  推動ブロック              ３３０  貫通孔
３３１  円錐体                  ３３１０  平面
３３１１  当て突起面            ３３１２  傾斜面
３３１  円錐体                  ３３２  止着体
３３３  間隔                    ３４  弾性部材
４０  ケース体                  ４１  収容室
４２  挿入孔                    ４３  突起蓋端面
４４  貫通孔                    ４５  貫通棒
４６  固着体                    ４６０  オスねじ部
４６１  メス孔                  ４６２  貫通孔
４６３  多角メス孔              ４６４  固着孔
４６５  棒体                    ４６６  ねじ固定部材
４３０  多層凹み面              ５０  套接部材
５１  収容空間                  ５２  円弧状溝
５２３  突起連結体              ５３  貫通孔
５４  蓋部材                    ５４０  棒体
５４１  貫通孔                  ５４２  固着素子
５４３  多角メス孔              ５４４  ほぞ
【図１】
0003119717.tif 000003
【図２】
0003119717.tif 000004
【図３】
0003119717.tif 000005
【図４】
0003119717.tif 000006
【図５】
0003119717.tif 000007
【図６】
0003119717.tif 000008
【図７】
0003119717.tif 000009
【図８】
0003119717.tif 000010
【図９】
0003119717.tif 000011